(57)【要約】      （修正有）【課題】光ディスクプレーヤをフラットディスプレイにスペース的に効率良く配置する。【解決手段】テレビ本体は、フロントキャビネット１１ａとバックキャビネット１１ｂとからなる薄箱型筺体１１内部にフラットタイプディスプレイモジュールを収容している。  薄箱型筺体１１の下部には左右の両端に台座１４から立設した脚部を備えている。このため、薄箱型筺体１１の下辺と、左右の脚部と、台座１４とで窓状の空間を形成する。  駆動機構は、外形が薄箱形筺体に形成されたローダ２０を、テレビ本体の背面側に、その厚み方向をテレビ本体の厚み方向と一致する姿勢で保持するとともに、ローダ２０を、光ディスクトレー２２が窓状の空間を介してテレビ本体の厚み方向に出入りする姿勢となるように駆動する。【選択図】  図３
2007080384.tif 000002
【特許請求の範囲】
【請求項１】
フロントキャビネットとバックキャビネットとからなる薄箱型筺体内部にフラットタイプディスプレイモジュールを収容しつつ薄箱型筺体の下部には脚部を備え、床面との間に窓状の空間を形成しつつ立設されるフラットディスプレイと、
薄箱形筺体に収容されるとともに薄箱の厚み方向を鉛直方向としたときに一側面に形成した蓋が開閉しつつ奥行き方向に光ディスクトレーが出入りしてＬＣＤやＤＶＤなどの光ディスクを再生可能なローダを有する光ディスクドライブユニットと、
この光ディスクドライブユニットを、上記フラットディスプレイの背面側にてその厚み方向を当該フラットディスプレイの厚み方向と一致する姿勢で収納して保持するとともに、同光ディスクドライブユニットを、上記光ディスクトレーが上記窓状の空間を介して上記フラットディスプレイの厚み方向に出入りする姿勢となるように駆動するため、
上記フロントキャビネットとバックキャビネットとからなる薄箱型筺体内部の下方における背面側近傍で幅方向に水平に回転可能に支持される回転駆動軸と、
上記回転駆動軸を略９０度の範囲で往復回転駆動可能な第一の駆動モータと、
上記回転駆動軸と上記駆動モータとを連結する第一のギア機構と、
上記回転駆動軸の両端で径方向に突出するように固定され、上記バックキャビネットに形成された下方から背面に連続するスリットを貫通し、同回転駆動軸を略９０度の範囲で往復回転するときに、同回転駆動軸から上記バックキャビネットを突き出て鉛直方向下方に延設される状態から、同バックキャビネットを突き出て後方に略水平に延設される状態まで枢動する一対の枢動アームとを備えて、当該枢動アームの端部を上記光ディスクドライブユニットの両側面に固定するにあたり、上記バックキャビネットを突き出て鉛直方向下方に延設される状態で上記光ディスクドライブユニットを水平、かつ、上記光ディスクトレーが上記窓状の空間を介して上記フラットディスプレイの厚み方向に出入りする可能な姿勢となるようにし、上記枢動アーム以外は上記フロントキャビネットとバックキャビネットとからなる薄箱型筺体内部に収容される駆動機構と、
上記光ディスクドライブユニットが、上記フラットディスプレイの背面側にてその厚み方向を当該フラットディスプレイの厚み方向と一致する姿勢で保持されているときに、同位置で固持するため、
上記フロントキャビネットとバックキャビネットとからなる薄箱型筺体に対して厚み方向に配向されるとともに一端を外部に露出されるように支持される回転軸と、
上記バックキャビネットの背面側外部にて突出する回転軸の先端に固定されて鉛直面内で枢動する枢動ロックアームと、
上記回転軸に連結された第二のギア機構と、
同第二のギア機構を介して上記回転軸を回転させる第二の駆動モータとを具備するとともに、上記光ディスクドライブユニットには、当該光ディスクドライブユニットが上記バックキャビネットの背面側に駆動されたときに上記枢動ロックアームが所定角度だけ回転駆動されることで、当該光ディスクドライブユニットが同バックキャビネットから離反しないように凹凸嵌合するロック用凹部を形成したロック機構と、
上記脚部の下端に設置され、上記光ディスクドライブユニットが駆動されるときに後方側に移動する範囲まで後方に突出する長さであるとともに、後方側の所定位置には、上記光ディスクドライブユニットを水平としたときに下部に配置したゴム足が当接して水平状態を支持できるようにするゴム足収容凹部を形成した台座とを具備することを特徴とする光ディスクプレーヤ付きフラットディスプレイテレビ。
【請求項２】
フロントキャビネットとバックキャビネットとからなる薄箱型筺体内部にフラットタイプディスプレイモジュールを収容しつつ薄箱型筺体の下部には脚部を備え、床面との間に窓状の空間を形成しつつ立設されるフラットディスプレイと、
薄箱形筺体に収容されるとともに薄箱の厚み方向を鉛直方向としたときに一側面から奥行き方向に光ディスクトレーが出入りする光ディスクドライブユニットと、
この光ディスクドライブユニットを、上記フラットディスプレイの背面側にてその厚み方向を当該フラットディスプレイの厚み方向と一致する姿勢で保持するとともに、同光ディスクドライブユニットを、上記光ディスクトレーが上記窓状の空間を介して上記フラットディスプレイの厚み方向に出入りする姿勢となるように駆動可能な駆動機構と、
上記光ディスクドライブユニットが、上記フラットディスプレイの背面側にてその厚み方向を当該フラットディスプレイの厚み方向と一致する姿勢で保持されているときに、同位置で固持するロック機構と
を具備することを特徴とする光ディスクプレーヤ付きフラットディスプレイ。
【請求項３】
上記駆動機構は、
上記フロントキャビネットとバックキャビネットとからなる薄箱型筺体内部の下方における背面側近傍で幅方向に水平に回転可能に支持される回転駆動軸と、
上記回転駆動軸を略９０度の範囲で往復回転駆動可能な駆動モータと、
上記回転駆動軸と上記駆動モータとを連結するギア機構と、
上記回転駆動軸の両端で径方向に突出するように固定され、同回転駆動軸を略９０度の範囲で往復回転するときに、同回転駆動軸から上記バックキャビネットを突き出て鉛直方向下方に延設される状態から、同バックキャビネットを突き出て後方に略水平に延設される状態まで枢動する一対の枢動アームとを備え、
当該枢動アームの端部を上記光ディスクドライブユニットの両側面に固定するにあたり、上記バックキャビネットを突き出て鉛直方向下方に延設される状態で上記光ディスクドライブユニットを水平、かつ、上記光ディスクトレーが上記窓状の空間を介して上記フラットディスプレイの厚み方向に出入りする可能な姿勢となるようにしていることを特徴とする上記請求項２に記載の光ディスクプレーヤ付きフラットディスプレイ。
【請求項４】
上記バックキャビネットには、下方から背面に連続し、上記枢動アームが貫通するスリットが形成され、上記駆動機構における他の構成を上記フロントキャビネットとバックキャビネットとからなる薄箱型筺体内部に収容していることを特徴とする上記請求項３に記載の光ディスクプレーヤ付きフラットディスプレイ。
【請求項５】
上記ロック機構は、
上記フロントキャビネットとバックキャビネットとからなる薄箱型筺体に対して厚み方向に配向されるとともに一端を外部に露出されるように支持される回転軸と、
上記バックキャビネットの背面側外部にて突出する回転軸の先端に固定されて鉛直面内で枢動する枢動ロックアームと、
上記回転軸に連結されたギア機構と、
同ギア機構を介して上記回転軸を回転させる駆動モータとを具備し、
上記光ディスクドライブユニットには、当該光ディスクドライブユニットが上記バックキャビネットの背面側に駆動されたときに上記枢動ロックアームが所定角度だけ回転駆動されることで、当該光ディスクドライブユニットが同バックキャビネットから離反しないように凹凸嵌合するロック用凹部を形成してあることを特徴とする上記請求項２〜請求項４のいずれかに記載の光ディスクプレーヤ付きフラットディスプレイ。
【請求項６】
上記脚部の下端には台座が設置され、同台座は、上記光ディスクドライブユニットが駆動されるときに後方側に移動する範囲まで後方に突出する長さであるとともに、後方側の所定位置には、上記光ディスクドライブユニットを水平としたときに下部に配置したゴム足が当接して水平状態を支持できるようにするゴム足収容凹部を形成してあることを特徴とする上記請求項２〜請求項５のいずれかに記載の光ディスクプレーヤ付きフラットディスプレイ。
【発明の詳細な説明】
【技術分野】
【０００１】
本発明は、光ディスクプレーヤが付属するコンボ型のフラットディスプレイおよびテレビに関する。
【背景技術】
【０００２】
従来、光ディスクプレーヤに関する文献として、特許文献１〜特許文献３に示すものが知られている。
【特許文献１】特開２００４−１１８９８３号公報
【特許文献２】特開２００４−８６９３９号公報
【特許文献３】特開２００４−３３４５６６号公報
【０００３】
特許文献１に開示されるものは、光ディスクトレー（ローダ）が前後動するときにカム機構を介してトラバース部が連動して上下動する。
【０００４】
特許文献２に開示されるものは、コンボタイプのＴＶキャビネットを貫通する光ディスクトレー（ローダ）の先端に蓋となる部材が備えられ、光ディスクトレーが収納されたときに気密的に蓋をできるようになっている。
【０００５】
特許文献３に開示されるものは、コンボタイプのＴＶキャビネットにおける光ディスクトレー（ローダ）の貫通部分の蓋の機構が開示されている。
【発明の開示】
【発明が解決しようとする課題】
【０００６】
上述した従来の光ディスクプレーヤ付きフラットディスプレイにおいては、いずれも光ディスクプレーヤをフラットディスプレイにスペース的に効率良く配置することについての開示がないという課題があった。
【０００７】
本発明は、上記課題にかんがみてなされたもので、光ディスクプレーヤをフラットディスプレイにスペース的に効率よく配置することが可能な光ディスクプレーヤ付きフラットディスプレイの提供を目的とする。
【課題を解決するための手段】
【０００８】
上記目的を達成するため、本発明は、フロントキャビネットとバックキャビネットとからなる薄箱型筺体内部にフラットタイプディスプレイモジュールを収容しつつ薄箱型筺体の下部には脚部を備え、床面との間に窓状の空間を形成しつつ立設されるフラットディスプレイと、
薄箱形筺体に収容されるとともに薄箱の厚み方向を鉛直方向としたときに一側面から奥行き方向に光ディスクトレーが出入りする光ディスクドライブユニットと、
この光ディスクドライブユニットを、上記フラットディスプレイの背面側にてその厚み方向を当該フラットディスプレイの厚み方向と一致する姿勢で保持するとともに、同光ディスクドライブユニットを、上記光ディスクトレーが上記窓状の空間を介して上記フラットディスプレイの厚み方向に出入りする姿勢となるように駆動可能な駆動機構と、
上記光ディスクドライブユニットが、上記フラットディスプレイの背面側にてその厚み方向を当該フラットディスプレイの厚み方向と一致する姿勢で保持されているときに、同位置で固持するロック機構とを具備する構成としてある。
【０００９】
上記のように構成した本発明においては、フロントキャビネットとバックキャビネットとからなる薄箱型筺体内部にフラットタイプディスプレイモジュールを収容しつつ薄箱型筺体の下部には脚部を備え、床面との間に窓状の空間を形成しつつ立設されるフラットディスプレイを前提とし、薄箱形筺体に収容されるとともに薄箱の厚み方向を鉛直方向としたときに一側面から奥行き方向に光ディスクトレーが出入りする光ディスクドライブユニットを効率よく配置する。
【００１０】
このために、駆動機構とロック機構を備え、駆動機構は、上記光ディスクドライブユニットを、上記フラットディスプレイの背面側にてその厚み方向を当該フラットディスプレイの厚み方向と一致する姿勢で保持するとともに、同光ディスクドライブユニットを、上記光ディスクトレーが上記窓状の空間を介して上記フラットディスプレイの厚み方向に出入りする姿勢となるように駆動可能であり、ロック機構は、上記光ディスクドライブユニットが、上記フラットディスプレイの背面側にてその厚み方向を当該フラットディスプレイの厚み方向と一致する姿勢で保持されているときに、同位置で固持する。
【００１１】
さらに、本発明をもっとも具現化した発明では、フロントキャビネットとバックキャビネットとからなる薄箱型筺体内部にフラットタイプディスプレイモジュールを収容しつつ薄箱型筺体の下部には脚部を備え、床面との間に窓状の空間を形成しつつ立設されるフラットディスプレイと、
薄箱形筺体に収容されるとともに薄箱の厚み方向を鉛直方向としたときに一側面に形成した蓋が開閉しつつ奥行き方向に光ディスクトレーが出入りしてＬＣＤやＤＶＤなどの光ディスクを再生可能なローダを有する光ディスクドライブユニットと、
この光ディスクドライブユニットを、上記フラットディスプレイの背面側にてその厚み方向を当該フラットディスプレイの厚み方向と一致する姿勢で収納して保持するとともに、同光ディスクドライブユニットを、上記光ディスクトレーが上記窓状の空間を介して上記フラットディスプレイの厚み方向に出入りする姿勢となるように駆動するため、
上記フロントキャビネットとバックキャビネットとからなる薄箱型筺体内部の下方における背面側近傍で幅方向に水平に回転可能に支持される回転駆動軸と、
上記回転駆動軸を略９０度の範囲で往復回転駆動可能な第一の駆動モータと、
上記回転駆動軸と上記駆動モータとを連結する第一のギア機構と、
上記回転駆動軸の両端で径方向に突出するように固定され、上記バックキャビネットに形成された下方から背面に連続するスリットを貫通し、同回転駆動軸を略９０度の範囲で往復回転するときに、同回転駆動軸から上記バックキャビネットを突き出て鉛直方向下方に延設される状態から、同バックキャビネットを突き出て後方に略水平に延設される状態まで枢動する一対の枢動アームとを備えて、当該枢動アームの端部を上記光ディスクドライブユニットの両側面に固定するにあたり、上記バックキャビネットを突き出て鉛直方向下方に延設される状態で上記光ディスクドライブユニットを水平、かつ、上記光ディスクトレーが上記窓状の空間を介して上記フラットディスプレイの厚み方向に出入りする可能な姿勢となるようにし、上記枢動アーム以外は上記フロントキャビネットとバックキャビネットとからなる薄箱型筺体内部に収容される駆動機構と、
上記光ディスクドライブユニットが、上記フラットディスプレイの背面側にてその厚み方向を当該フラットディスプレイの厚み方向と一致する姿勢で保持されているときに、同位置で固持するため、
上記フロントキャビネットとバックキャビネットとからなる薄箱型筺体に対して厚み方向に配向されるとともに一端を外部に露出されるように支持される回転軸と、
上記バックキャビネットの背面側外部にて突出する回転軸の先端に固定されて鉛直面内で枢動する枢動ロックアームと、
上記回転軸に連結された第二のギア機構と、
同第二のギア機構を介して上記回転軸を回転させる第二の駆動モータとを具備するとともに、上記光ディスクドライブユニットには、当該光ディスクドライブユニットが上記バックキャビネットの背面側に駆動されたときに上記枢動ロックアームが所定角度だけ回転駆動されることで、当該光ディスクドライブユニットが同バックキャビネットから離反しないように凹凸嵌合するロック用凹部を形成したロック機構と、
上記脚部の下端に設置され、上記光ディスクドライブユニットが駆動されるときに後方側に移動する範囲まで後方に突出する長さであるとともに、後方側の所定位置には、上記光ディスクドライブユニットを水平としたときに下部に配置したゴム足が当接して水平状態を支持できるようにするゴム足収容凹部を形成した台座とを具備する構成としてある。
【発明の効果】
【００１２】
以上説明したように本発明は、非使用時に光ディスクドライブユニットをフラットディスプレイの背面に垂直に支持し、スペース的に効率よく配置することが可能な光ディスクプレーヤ付きフラットディスプレイおよびテレビを提供することができる。
また、請求項３にかかる発明によれば、簡易な構成の駆動機構を実現できる。
さらに、請求項４にかかる発明によれば、簡易な構成のバックキャビネットを実現できる。
さらに、請求項５にかかる発明によれば、簡易な構成のロック機構を実現できる。
さらに、請求項６にかかる発明によれば、ローダの駆動時に周囲と干渉しないような台座を実現できる。
【発明を実施するための最良の形態】
【００１３】
以下、図面にもとづいて本発明の実施形態を説明する。
図１は本発明の一実施形態にかかる光ディスクプレーヤ付きフラットディスプレイテレビを側面図により示しており、図２は正面図により示している。
同図において、フラットディスプレイであるテレビ本体１０の背面に光ディスクドライブユニットであるローダ２０が支持されている状態を示している。
【００１４】
テレビ本体１０は、フロントキャビネット１１ａとバックキャビネット１１ｂとからなる薄箱型筺体１１内部にフラットタイプディスプレイモジュール１２を収容している。
薄箱型筺体１１の下部には左右の両端に脚部１３ａ、１３ｂを備え、同脚部１３ａ、１３ｂは台座１４から立設している。このため、薄箱型筺体１１の下辺と、左右の脚部１３ａ、１３ｂと、台座１４とで枠状部分を形成し、窓状の空間を形成することになる。
【００１５】
ローダ２０はその外形が薄箱形筺体に形成されており、図１に示す収納状態では正面を下方に対面させ、上面を正面に対面させた状態である。また、この状態ではテレビ本体１０の正面からではローダ２０は見えていない。
ローダ２０の下面後方側には左右に一対のゴム足２１，２１が備えられている。ローダ２０の収納状態では下面は後方に対面し、ゴム足２１，２１も後方に対面している。
【００１６】
図３は本発明の一実施形態にかかる光ディスクプレーヤ付きフラットディスプレイにおける光ディスクドライブユニットであるローダ２０の使用状態を側面図により示しており、図４は正面図により示している。
ローダ２０は後述する駆動機構３０により薄箱型筺体１１の背面から、台座１４の上方位置に９０度回転して移動されており、その上面は上方に対面するとともに正面はテレビ本体１０の正面と一致している。ローダ２０の正面は上述した窓状の空間を介してテレビ本体１０の正面方向に対面しており、正面に配置した光ディスクトレー２２が上記窓状の空間を介して上記フラットディスプレイの厚み方向に出入りする。なお、図３，図４に示す状態が使用状態と呼ぶものであり、この状態における鉛直方向がローダ２０における薄箱形筺体の厚み方向である。
【００１７】
このようにローダ２０は、薄箱形筺体に収容されるとともに薄箱の厚み方向を鉛直方向としたときに一側面である正面から奥行き方向に光ディスクトレー２２が出入りすることになる。
なお、上記脚部１３ａ，１３ｂの下端の台座１４は、上記ローダ２０が後述するようにして駆動されるときに後方側に移動する範囲まで後方に突出する長さとなっている。また、後方側の所定位置には、上記ローダ２０を水平としたときに下部に配置したゴム足２１，２１が当接して水平状態を支持できるようにするゴム足収容凹部１４ａ，１４ａを形成してある。
【００１８】
駆動機構３０は、このローダ２０を、上記テレビ本体２０の背面側にてその厚み方向を当該テレビ本体２０の厚み方向と一致する姿勢で保持する（収納状態）とともに、同ローダ２０を、上記光ディスクトレー２２が上記窓状の空間を介して上記テレビ本体２０の厚み方向に出入りする姿勢（使用状態）となるように駆動可能する。
この駆動機構３０は、図５及び図６に示すように、上記フロントキャビネット１１ａとバックキャビネット１１ｂとからなる薄箱型筺体１１内部の下方における背面側近傍で幅方向に水平に回転可能に支持される回転駆動軸３１と、この回転駆動軸３１を略９０度の範囲で往復回転駆動可能な駆動モータ３２と、上記回転駆動軸３１と上記駆動モータ３２とを連結するギア機構３３（３３ａ，３３ｂ）と、上記回転駆動軸３１の両端で径方向に突出するように固定される一対の枢動アーム３４，３４とを備えている。
【００１９】
上記駆動モータ３２により、上記回転駆動軸３１を略９０度の範囲で往復回転するときに、枢動アーム３４，３４は同回転駆動軸３１から上記バックキャビネット１１ｂを突き出て鉛直方向下方に延設される状態から、同バックキャビネット１１ｂを突き出て後方に略水平に延設される状態まで枢動する。
【００２０】
このため、上記バックキャビネット１１ｂには、図７に示すように、下方から背面に連続し、上記枢動アーム３４，３４が貫通するスリット１１ｂ１，１１ｂ１が形成されている。むろん、上記駆動機構３０における他の構成を上記フロントキャビネット１１ａとバックキャビネット１１ｂとからなる薄箱型筺体１１内部に収容している。
【００２１】
スリット１１ｂ１，１１ｂ１を貫通する枢動アーム３４，３４の端部はローダ２０の両側面における前方寄り部分に固定されている。ここにおいて、枢動アーム３４，３４の端部はローダ２０の使用状態にて両側面における前方寄り部分から鉛直方向上方に向けて固定されているため、上記バックキャビネット１１ｂを突き出て鉛直方向下方に延設される状態では同ローダ２０を水平な状態として、上記光ディスクトレー２２が上記窓状の空間を介して上記テレビ本体１０の厚み方向に出入りする可能な姿勢となる。また、枢動アーム３４，３４が上記バックキャビネットを水平方向背面側に突き出て延設される状態では同ローダ２０の正面を下方に向けつつ、当該同ローダ２０の上面をバックキャビネット１１ｂの背面に対面させる姿勢とする。
【００２２】
ロック機構４０は、上記ローダ２０が、上記テレビ本体１０におけるバックキャビネット１１ｂの背面側にてその厚み方向を当該テレビ本体１０の厚み方向と一致する姿勢で保持されているときに、同位置で固持するものである。
【００２３】
このロック機構４０は、図７〜図１０に示すように、上記フロントキャビネット１１ａとバックキャビネット１１ｂとからなる薄箱型筺体１１に対して厚み方向に配向されるとともに一端を外部に露出されるように支持される回転軸４１と、上記バックキャビネット１１ｂの背面側外部にて突出する同回転軸４１の先端に固定されて鉛直面内で枢動する枢動ロックアーム４２と、上記回転軸４１に連結されたギア機構４３と、同ギア機構４３を介して上記回転軸４１を回転させる駆動モータ４４とを具備している。
【００２４】
また、上記ローダ２０には、当該ローダ２０が上記バックキャビネット１１ｂの背面側に駆動されたときに上記枢動ロックアーム３２が所定角度だけ回転駆動されることで、当該ローダ２０が同バックキャビネット１１ｂから離反しないように凹凸嵌合するロック用凹部２３を形成してある。同凹部２３は一例として幅方向に横長で上記枢動ロックアーム３２よりも大きめとした開口２３ａを有し、同開口２３は所定長だけローダ２０の厚み方向に掘り下げるように形成されるとともに、ローダ２０の上壁面を残して当該ローダ２０の奥側に略水平に広がる部位２３ｂを有している。
【００２５】
このような形状であるため、非ロック状態では、上記枢動ロックアーム３２がその長手方向を水平方向に配向した状態で待機しており、上記駆動機構３０によって使用状態から収納状態へとローダ２０が駆動されてくると、横長とした開口２３ａは同枢動ロックアーム３２の長手方向である水平方向となって当該枢動ロックアーム３２に近接し、最終位置まで移動したときには同枢動ロックアーム３２が開口２３ａに入り込む。
【００２６】
このままではロックがかかっておらず、駆動モータ４４を所定角度だけ回転させると上記ギア機構４３を介して上記回転軸４１を所定角度だけ回転させる。これにより、同回転軸４１の先端に固定されている枢動ロックアーム４２は鉛直面内で枢動するので、回転軸４１の軸芯から離れた側の端部が上記開口２３ａに連通して奥側で奥行き方向の部位２３ｂに入り込む。すると、枢動ロックアーム４２はローダ２０の上壁面の裏側に位置することになり、ローダ２０がバックキャビネット１１ｂの背面側から離れようとしたときに枢動ロックアーム４２とローダ２０の上壁面とが干渉し、移動を規制し、ロックする。
【００２７】
ロックを解除するときは、駆動モータ４４を先ほどとは逆方向に所定角度だけ回転させる。すると、上記ギア機構４３と上記回転軸４１とを介して上記枢動ロックアーム４２を反対方向に枢動させ、回転軸４１の軸芯から離れた側の端部が奥行き方向の部位２３ｂから上記開口２３ａと平行となるように回転し、両者が重なり合った時点で枢動ロックアーム４２とローダ２０の上壁面の裏側との重なり合う部分がなくなり、ロックは解除される。
【００２８】
次に、上記構成からなる本実施形態の動作を説明する。
当初、ローダ２０はバックキャビネット１１ｂの背面側に位置し、かつ、枢動ロックアーム４２がローダ２０の上壁面とが干渉する位置に回り込んでいる。ローダ２０はその自重によって下降しようとするものの、両側面の前端側から収納状態で前方に延設され、同前方側にて回転可能な回転軸３１に連結されているため、下降しようとすれば当該ローダ２０の後端が上記回転軸の軸芯を回転軸として円弧を描きつつ上記バックキャビネット１１ｂの背面からほぼ後方に向けて離れるように移動することになる。
【００２９】
しかし、ロック状態では枢動ロックアーム４２とローダ２０の上壁面とが干渉しているので、かかる移動は規制され、結果として、ローダ２０はその自重によって下降することはない。
【００３０】
ＤＶＤ等を鑑賞するにあたり、光ディスクドライブユニットであるローダ２０を使用しようとするときは、ロック機構４０を解除し、駆動機構３０で収納状態から使用状態へと移動させる。
【００３１】
ロックを解除するときは、駆動モータ４４を所定方向に所定角度だけ回転させる。すると、上記ギア機構４３と上記回転軸４１とを介して上記枢動ロックアーム４２が枢動し、開口２３ａと平行となり、枢動ロックアーム４２とローダ２０の上壁面の裏側との重なり合う部分がなくなってロックは解除される。
【００３２】
このあと、駆動モータ３２により回転駆動軸３１を略９０度の範囲で所定方向に回転させると、同回転駆動軸３１の両端から突出する枢動アーム３４，３４は上記バックキャビネット１１ｂを突き出て後方に略水平に延設される状態から同バックキャビネット１１ｂを突き出て鉛直方向下方に延設される状態まで枢動する。
【００３３】
これにより、ローダ２０は９０度回転し、後端のゴム足２１を台座１２の後方に形成したゴム足収容凹部１４ａ上に載置させて停止する。このとき、ローダ２０の正面は上記窓状の空間を介してテレビ本体１０の正面に対面し、ＤＶＤ等の出し入れ時には光ディスクトレー２２がテレビ本体１０の奥行き方向と平行に出入りすることになる。
【００３４】
また、使用を終えたら、駆動モータ３２により回転駆動軸３１を略９０度の範囲で反対方向に回転させると、同回転駆動軸３１の両端から突出する枢動アーム３４，３４は上記バックキャビネット１１ｂを突き出て鉛直方向下方に延設される状態から同バックキャビネット１１ｂを突き出て後方に略水平に延設される状態まで枢動する。
【００３５】
これにより、ローダ２０は９０度逆に回転し、上面をバックキャビネット１１ｂの背面に接する位置まで移動する。この状態では、上記枢動ロックアーム４２が開口２３ａと平行となって入り込んでいる。このため、駆動モータ４４を先ほどとは逆の方向に回転させると、上記ギア機構４３と上記回転軸４１とを介して上記枢動ロックアーム４２が枢動し、枢動ロックアーム４２とローダ２０の上壁面の裏側とが重なり合ってロックされる。
【００３６】
以上説明したように、テレビ本体１０は、フロントキャビネット１１ａとバックキャビネット１１ｂとからなる薄箱型筺体１１内部にフラットタイプディスプレイモジュール１２を収容している。
【００３７】
薄箱型筺体１１の下部には左右の両端に脚部１３ａ、１３ｂを備え、同脚部１３ａ、１３ｂは台座１４から立設している。このため、薄箱型筺体１１の下辺と、左右の脚部１３ａ、１３ｂと、台座１４とで枠状部分を形成し、窓状の空間を形成することになる。
【００３８】
駆動機構３０は、外形が薄箱形筺体に形成されたローダ２０を、上記テレビ本体２０の背面側にてその厚み方向を当該テレビ本体２０の厚み方向と一致する姿勢で保持する（収納状態）とともに、同ローダ２０を、上記光ディスクトレー２２が上記窓状の空間を介して上記テレビ本体２０の厚み方向に出入りする姿勢（使用状態）となるように駆動する。
【図面の簡単な説明】
【００３９】
【図１】本発明の一実施形態にかかる光ディスクプレーヤ付きフラットディスプレイテレビの側面図である。
【図２】光ディスクプレーヤ付きフラットディスプレイの正面図である。
【図３】光ディスクプレーヤ付きフラットディスプレイの側面図である。
【図４】光ディスクプレーヤ付きフラットディスプレイの正面図である。
【図５】駆動機構の構成を示す平面図である。
【図６】駆動機構の構成を示す側面図である。
【図７】光ディスクプレーヤ付きフラットディスプレイの背面図である。
【図８】ロック機構の断面図である。
【図９】ロック機構のロック用凹部の正面図である。
【図１０】ロック機構の構成を示す背面図である。
【符号の説明】
【００４０】
１０…テレビ本体（フラットディスプレイ）
２０…ローダ（光ディスクドライブユニット）
３０…駆動機構
４０…ロック機構
【図１】
2007080384.tif 000003
【図２】
2007080384.tif 000004
【図３】
2007080384.tif 000005
【図４】
2007080384.tif 000006
【図５】
2007080384.tif 000007
【図６】
2007080384.tif 000008
【図７】
2007080384.tif 000009
【図８】
2007080384.tif 000010
【図９】
2007080384.tif 000011
【図１０】
2007080384.tif 000012